(57)【要約】【課題】異物混入防止手段を設けたとしても、コネクタの小型化に寄与することが可能なコネクタのコンパクト化を目的とする。【解決手段】本発明のコネクタは、前記第１係止手段により前記閉塞部材２４と前記メス端子ボックス２１とが係止すると、前記第２係止手段による前記閉塞部材２４と前記オス端子１９の端部側との係止は解除され、前記閉塞部材２４が前記オス端子１９に沿って前記オス端子開口部２５に前記オス端子１９がそれぞれ貫通させた状態でスライド移動することができると共に、前記オス端子開口部２５に前記オス端子１９がそれぞれ貫通させた状態で当該スライド移動が停止したときには、前記第１ランス２６及び前記第２ランス２９は、共に非湾曲状態である。【選択図】図５
2009301857.tif 000002
【特許請求の範囲】
【請求項１】
少なくとも、複数のオス端子と、該複数のオス端子が設けられる第１本体部と、複数の前記オス端子の端部を臨ませる第１ハウジング開口部を形成し複数の前記オス端子を所定の収納空間に収納する第１ターミナルハウジング部と、からなるオス側コネクタ部と、
少なくとも、複数のメス端子と、該複数のメス端子の端部をそれぞれ臨ませる複数のメス端子開口部を形成すると共に複数の前記メス端子をそれぞれの所定の収納空間へ収納するメス端子ボックスと、からなるメス側コネクタ部と、
からなり、前記オス側コネクタ部と前記メス側コネクタ部とを嵌合させると複数の前記オス端子と複数の前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子がそれぞれ貫通する複数のオス端子開口部と、
少なくとも、湾曲状態又は非湾曲状態に変化する第１ランスを用いて前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子がそれぞれ貫通させた状態でスライド移動することができると共に、前記オス端子開口部に前記オス端子がそれぞれ貫通させた状態で当該スライド移動が停止したときには、前記第１ランス及び前記第２ランスは、共に非湾曲状態であること、
を特徴とするコネクタ。
【請求項２】
少なくとも、オス端子と、該オス端子が設けられる第１本体部と、前記オス端子の端部を臨ませる第１ハウジング開口部を形成し前記オス端子を所定の収納空間に収納する第１ターミナルハウジング部と、からなるオス側コネクタ部と、
少なくとも、メス端子と、該メス端子の端部を臨ませるメス端子開口部を形成すると共に前記メス端子を所定の収納空間へ収納するメス端子ボックスと、からなるメス側コネクタ部と、
からなり、前記オス側コネクタ部と前記メス側コネクタ部とを嵌合させると前記オス端子と前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子が貫通するオス端子開口部と、
少なくとも、湾曲状態又は非湾曲状態に変化する第１ランスを用いて前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子が貫通させた状態でスライド移動することができると共に、前記オス端子開口部に前記オス端子が貫通させた状態で当該スライド移動が停止したときには、前記第１ランス及び前記第２ランスは、共に非湾曲状態であること、
を特徴とするコネクタ。
【請求項３】
前記第１係止手段の前記第１ランスは、前記メス端子ボックス側に形成されると共に、その端部側に第１突起部が形成され、
更に、前記第１係止手段は、
前記閉塞部材側に形成されると共に、前記第１突起部と係合する第１係合部と、
前記メス端子ボックス側に形成される共に、前記第１突起部と前記第１係合部との係合状態が解除しないように規制する規制部と、
を含み、
前記第１突起部は、前記閉塞部材と向き合う側には、前記閉塞部材に押し当てると、前記第１ランスを湾曲状態させる傾斜面を形成すること、
を特徴とする請求項１又は請求項２記載のコネクタ。
【請求項４】
前記規制部は、前記第２係止手段による前記閉塞部材と前記オス端子の端部側との係止を解除する係止解除手段でもあること、
を特徴する請求項４記載のコネクタ。
【請求項５】
前記閉塞部材が前記オス端子の端部から抜けないようにするための抜け防止手段と、
を設けたこと、
を特徴する請求項１乃至請求項４記載のコネクタ。
【請求項６】
前記抜け防止手段は、
前記閉塞部材の裏面であって前記第１本体部に向けて形成された第３ランスと、
前記第３ランスの端部側に形成され、前記オス端子に向けて立設した第３突起部と、
前記オス端子の端部側に形成され、前記第３突起部と係合する第２係合部と、
を特徴する請求項５記載のコネクタ。
【請求項７】
前記閉塞部材をスライド移動させる前であって、前記閉塞部材が前記オス端子の端部に位置しているときは、前記オス端子の最端部は、前記閉塞部材の前記オス端子開口部より内側に位置していること、
を特徴する請求項１乃至請求項６記載のコネクタ。
【請求項８】
前記閉塞部材によって前記第１ハウジング開口部を閉塞又は略閉塞している状態において、前記第１ターミナルハウジング部の前記所定の収納空間内の空気を逃がす空気逃がし開口部を形成すること、
を特徴する請求項１乃至請求項７記載のコネクタ。
【請求項９】
少なくとも、複数のオス端子と、該複数のオス端子が設けられる第１本体部と、複数の前記オス端子の端部を臨ませる第１ハウジング開口部を形成し複数の前記オス端子を所定の収納空間に収納する第１ターミナルハウジング部と、からなるオス側コネクタ部と、
少なくとも、複数のメス端子と、該複数のメス端子の端部をそれぞれ臨ませる複数のメス端子開口部を形成すると共に複数の前記メス端子をそれぞれの所定の収納空間へ収納するメス端子ボックスと、からなるメス側コネクタ部と、
からなり、前記オス側コネクタ部と前記メス側コネクタ部とを嵌合させると複数の前記オス端子と複数の前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子がそれぞれ貫通する複数のオス端子開口部と、
少なくとも、湾曲状態又は非湾曲状態に変化する第１ランスを用いて前記閉塞部材と前記メス端子ボックスとを係止する第１係止手段と、
少なくとも、前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子がそれぞれ貫通させた状態でスライド移動することができると共に、前記オス端子開口部に前記オス端子がそれぞれ貫通させた状態で当該スライド移動が停止したときには、前記第１ランスは非湾曲状態であること、
を特徴とするコネクタ。
【請求項１０】
少なくとも、複数のオス端子と、該複数のオス端子が設けられる第１本体部と、複数の前記オス端子の端部を臨ませる第１ハウジング開口部を形成し複数の前記オス端子を所定の収納空間に収納する第１ターミナルハウジング部と、からなるオス側コネクタ部と、
少なくとも、複数のメス端子と、該複数のメス端子の端部をそれぞれ臨ませる複数のメス端子開口部を形成すると共に複数の前記メス端子をそれぞれの所定の収納空間へ収納するメス端子ボックスと、からなるメス側コネクタ部と、
からなり、前記オス側コネクタ部と前記メス側コネクタ部とを嵌合させると複数の前記オス端子と複数の前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子がそれぞれ貫通する複数のオス端子開口部と、
少なくとも、前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子がそれぞれ貫通させた状態でスライド移動することができると共に、前記オス端子開口部に前記オス端子がそれぞれ貫通させた状態で当該スライド移動が停止したときには、前記第２ランスは非湾曲状態であること、
を特徴とするコネクタ。
【発明の詳細な説明】
【技術分野】
【０００１】
本発明は、特に、例えば、ハイブリット車、電気自動車など、大容量の電力の伝達を必要とした場合に用いられる大容量用のワイヤハーネスに採用される可能性が高い技術であって、コネクタに関するものである。
【背景技術】
【０００２】
近年、著しい進歩を遂げている、例えば、ハイブリット車、電気自動車などにおいて、モータとインバータとの間を接続する大容量用のワイヤハーネスは、一端側に、例えば、三相交流用の三本の動力電線を１つに集約した多極型のコネクタが設けられているが（例えば、特許文献１）、モータの高出力化に伴い動力電線が大型化し、例えば、剛性を高めるために、結果的にワイヤハーネスの一端側に設けられるコネクタの構造全体の大きさも大型化する傾向にあった。
【０００３】
これでは、製品のコンパクト化、軽量化という点においてマイナスであり、近年の市場ニーズとしては、こうした傾向を改善するべく、大容量用のワイヤハーネスに係るコネクタに対して、小型化の方向、若しくは、できるだけ大型化を防ぐ方向に進んでいる。
【０００４】
【特許文献１】特開２００１−３５５８９号公報
【発明の開示】
【発明が解決しようとする課題】
【０００５】
上述した背景がある中、以下の新たな課題があった。
【０００６】
それは、ワイヤハーネスに係るコネクタ（オス・メスに二分割式）の機器側に設置されるオス側コネクタ部のハウジング部内に、ビス等の異物（又は塵）が混入し、コネクタのオス（オス側コネクタ部）とメス（メス側コネクタ部）との嵌合接続が完全に行えない可能性があった。なお、電線側であるメス側コネクタ部は、たとえ、ビス等の異物が混入しても、気が付き易く、また、異物除去も行い易い。
【０００７】
そこで、本発明者らは、異物混入抑止手段として、オス側コネクタ部のハウジング開口部を完全に覆うと共に、オスとメスとの嵌合接続が完全に開放したときに当該ハウジング開口部を閉塞するシャッター構造を考えた。
【０００８】
しかし、上記考えたシャッター構造は、開閉機構がハウジング部外（ハウジング部の表面部）に付設されていたため、従来製品よりも、コネクタが大型化になっており、上記のように近年の市場ニーズからは逆行していた。更なる改良が望まれていた。
【０００９】
そこで、本発明は、こうした事情に鑑み為されたもので、異物混入抑止手段を設けたとしても、コネクタの小型化に寄与することが可能なコネクタのコンパクト化を目的とする。
【課題を解決するための手段】
【００１０】
上記した目的を達成するために、請求項１に係る発明においては、
少なくとも、複数のオス端子と、該複数のオス端子が設けられる第１本体部と、複数の前記オス端子の端部を臨ませる第１ハウジング開口部を形成し複数の前記オス端子を所定の収納空間に収納する第１ターミナルハウジング部と、からなるオス側コネクタ部と、
少なくとも、複数のメス端子と、該複数のメス端子の端部をそれぞれ臨ませる複数のメス端子開口部を形成すると共に複数の前記メス端子をそれぞれの所定の収納空間へ収納するメス端子ボックスと、からなるメス側コネクタ部と、
からなり、前記オス側コネクタ部と前記メス側コネクタ部とを嵌合させると複数の前記オス端子と複数の前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子がそれぞれ貫通する複数のオス端子開口部と、
少なくとも、湾曲状態又は非湾曲状態に変化する第１ランスを用いて前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子がそれぞれ貫通させた状態でスライド移動することができると共に、前記オス端子開口部に前記オス端子がそれぞれ貫通させた状態で当該スライド移動が停止したときには、前記第１ランス及び前記第２ランスは、共に非湾曲状態であること、
を特徴とするコネクタ。
【００１１】
上記した目的を達成するために、請求項２に係る発明においては、
少なくとも、オス端子と、該オス端子が設けられる第１本体部と、前記オス端子の端部を臨ませる第１ハウジング開口部を形成し前記オス端子を所定の収納空間に収納する第１ターミナルハウジング部と、からなるオス側コネクタ部と、
少なくとも、メス端子と、該メス端子の端部を臨ませるメス端子開口部を形成すると共に前記メス端子を所定の収納空間へ収納するメス端子ボックスと、からなるメス側コネクタ部と、
からなり、前記オス側コネクタ部と前記メス側コネクタ部とを嵌合させると前記オス端子と前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子が貫通するオス端子開口部と、
少なくとも、湾曲状態又は非湾曲状態に変化する第１ランスを用いて前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子が貫通させた状態でスライド移動することができると共に、前記オス端子開口部に前記オス端子が貫通させた状態で当該スライド移動が停止したときには、前記第１ランス及び前記第２ランスは、共に非湾曲状態であること、
を特徴とするコネクタ。
【００１２】
また、請求項３に係る発明においては、
前記第１係止手段の前記第１ランスは、前記メス端子ボックス側に形成されると共に、その端部側に第１突起部が形成され、
更に、前記第１係止手段は、
前記閉塞部材側に形成されると共に、前記第１突起部と係合する第１係合部と、
前記メス端子ボックス側に形成される共に、前記第１突起部と前記第１係合部との係合状態が解除しないように規制する規制部と、
を含み、
前記第１突起部は、前記閉塞部材と向き合う側には、前記閉塞部材に押し当てると、前記第１ランスを湾曲状態させる傾斜面を形成すること、
を特徴とする請求項１又は請求項２記載のコネクタ。
【００１３】
また、請求項４に係る発明においては、
前記規制部は、前記第２係止手段による前記閉塞部材と前記オス端子の端部側との係止を解除する係止解除手段でもあること、
を特徴する請求項４記載のコネクタ。
【００１４】
また、請求項５に係る発明においては、
前記閉塞部材が前記オス端子の端部から抜けないようにするための抜け防止手段と、
を設けたこと、
を特徴する請求項１乃至請求項４記載のコネクタ。
【００１５】
また、請求項６に係る発明においては、
前記抜け防止手段は、
前記閉塞部材の裏面であって前記第１本体部に向けて形成された第３ランスと、
前記第３ランスの端部側に形成され、前記オス端子に向けて立設した第３突起部と、
前記オス端子の端部側に形成され、前記第３突起部と係合する第２係合部と、
を特徴する請求項５記載のコネクタ。
【００１６】
また、請求項７に係る発明においては、
前記閉塞部材をスライド移動させる前であって、前記閉塞部材が前記オス端子の端部に位置しているときは、前記オス端子の最端部は、前記閉塞部材の前記オス端子開口部より内側に位置していること、
を特徴する請求項１乃至請求項６記載のコネクタ。
【００１７】
また、請求項８に係る発明においては、
前記閉塞部材によって前記第１ハウジング開口部を閉塞又は略閉塞している状態において、前記第１ターミナルハウジング部の前記所定の収納空間内の空気を逃がす空気逃がし開口部を形成すること、
を特徴する請求項１乃至請求項７記載のコネクタ。
【００１８】
上記した目的を達成するために、請求項９に係る発明においては、
少なくとも、複数のオス端子と、該複数のオス端子が設けられる第１本体部と、複数の前記オス端子の端部を臨ませる第１ハウジング開口部を形成し複数の前記オス端子を所定の収納空間に収納する第１ターミナルハウジング部と、からなるオス側コネクタ部と、
少なくとも、複数のメス端子と、該複数のメス端子の端部をそれぞれ臨ませる複数のメス端子開口部を形成すると共に複数の前記メス端子をそれぞれの所定の収納空間へ収納するメス端子ボックスと、からなるメス側コネクタ部と、
からなり、前記オス側コネクタ部と前記メス側コネクタ部とを嵌合させると複数の前記オス端子と複数の前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子がそれぞれ貫通する複数のオス端子開口部と、
少なくとも、湾曲状態又は非湾曲状態に変化する第１ランスを用いて前記閉塞部材と前記メス端子ボックスとを係止する第１係止手段と、
少なくとも、前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子がそれぞれ貫通させた状態でスライド移動することができると共に、前記オス端子開口部に前記オス端子がそれぞれ貫通させた状態で当該スライド移動が停止したときには、前記第１ランスは非湾曲状態であること、
を特徴とするコネクタ。
【００１９】
上記した目的を達成するために、請求項１０に係る発明においては、
少なくとも、複数のオス端子と、該複数のオス端子が設けられる第１本体部と、複数の前記オス端子の端部を臨ませる第１ハウジング開口部を形成し複数の前記オス端子を所定の収納空間に収納する第１ターミナルハウジング部と、からなるオス側コネクタ部と、
少なくとも、複数のメス端子と、該複数のメス端子の端部をそれぞれ臨ませる複数のメス端子開口部を形成すると共に複数の前記メス端子をそれぞれの所定の収納空間へ収納するメス端子ボックスと、からなるメス側コネクタ部と、
からなり、前記オス側コネクタ部と前記メス側コネクタ部とを嵌合させると複数の前記オス端子と複数の前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子がそれぞれ貫通する複数のオス端子開口部と、
少なくとも、前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子がそれぞれ貫通させた状態でスライド移動することができると共に、前記オス端子開口部に前記オス端子がそれぞれ貫通させた状態で当該スライド移動が停止したときには、前記第２ランスは非湾曲状態であること、
を特徴とするコネクタ。
【発明の効果】
【００２０】
本発明によれば、異物混入防止手段を設けたとしても、コネクタの小型化に寄与することが可能なコネクタのコンパクト化を図ることができる。
【発明を実施するための最良の形態】
【００２１】
［実施形態１］
以下に、本実施形態１に係るコネクタについて、図１から図１１を用いて説明する。
【００２２】
なお、図３及び図４に関しては、本願発明を詳細に説明するために、便宜上、オス側コネクタ部３の筐体である第１ターミナルハウジング部１１、メス側コネクタ４の筐体である第２ターミナルハウジング部１２は、省略されている。
【００２３】
本実施形態１に係るコネクタ２は、図１に示すように、ワイヤハーネス１の一端部側に設けられ、オス側コネクタ部３とメス側コネクタ部４とを嵌合させると、それぞれのコネクタ部内にあるオス端子１９と、それと対となるメス端子２０とが電気的にそれぞれ接続される。
【００２４】
なお、当該ワイヤハーネス１は、有毒ガスの排出を低減でき、大幅な燃料低減効果のあるＨＥＶ（Ｈｙｂｒｉｄ  Ｅｌｅｃｔｒｉｃ  Ｖｅｈｉｃｌｅ）を駆動するモータとインバータ間の接続に用いられ、ＨＥＶのシステムによっては１００Ａ以上の大容量の電流が通電される。
【００２５】
しかして、オス側コネクタ部３とメス側コネクタ部４との嵌合状態及び非嵌合状態の切替、つまり、メス側コネクタ部４からのオス側コネクタ部３の脱着（オス側コネクタ部３からのメス側コネクタ部４の脱着でもある）は、回動軸７を中心に回動レバー５によって行われ、該回動レバー５が図１に示す状態（所定の位置、つまり、ロック部３２の位置）にあるときは、オス側コネクタ部３とメス側コネクタ部４とは嵌合状態にあり、一方、回動レバー５が図１に示す状態から外れたときには、オス側コネクタ部３とメス側コネクタ部４とは非嵌合状態となる。なお、回動レバー５の動作メカニズムは、回動軸７、スライド軸８、スライド湾曲孔９、及びスライド直線孔（図示しない：オス側コネクタ部３の第１ターミナルハウジング部１１の両端側に形成されている）によって達成される。
【００２６】
次に、オス側コネクタ部３を説明する。
【００２７】
オス側コネクタ部３は、図２又は図３に示すように、少なくとも、略直線状に配置された三本（三極）のオス端子１９と、該三本のオス端子１９が設けられ第１ターミナルハウジング部１１の所定の収納空間に収納される第１本体部１７と、三本のオス端子１９の端部を臨ませる第１ハウジング開口部２３を形成し三本のオス端子１９及び第１本体部１７を所定の収納空間に収納する第１ターミナルハウジング部１１と、から構成される。
【００２８】
また、三本のオス端子１９のそれぞれは、その一端部は、第１ハウジング開口部２３に臨ませる一方、その他端部は、円弧状で且つ機器接続孔１４が形成される板状の機器側オス端子１３と接続されている（実際は、オス端子１９と機器側オス端子１３とは、同じ部材形成され一体形成である）。なお、この機器側オス端子１３は、インバータ側に接続される。
【００２９】
しかして、上記オス端子１９は、メス端子２０（図５参照）への挿入側であるが、図２，３，５に示すように、横断面を略コ字状に形成されている。これは、断面積、表面積を大きくする工夫であり、端子の抵抗軽減、通電時の発熱軽減、通電時の熱放射性の向上に寄与している。また、オス端子１９が設けられる樹脂製の第１本体部１７の損傷、変形の抑止という効果もある。
【００３０】
また、第１本体部１７は、樹脂製であり、略筒状の第１ターミナルハウジング部１１内に内蔵されており、三本のオス端子が略一直線状に所定の間隔毎に設けられる。
【００３１】
また、第１ターミナルハウジング部１１は、金属製、例えば、アルミ製で略筒状に形成されており、その内部空間は、所定の収納空間として形成している。なお、本実施形態において、所定の収納空間とは、第１本体部１７の端部側から第１ハウジング開口部２３（要するに、メス側コネクタ部４と接続される側にあって第１ターミナルハウジング部１１の開口側である端部）までの内部空間のことを示す。なお、第１ターミナルハウジング部１１と第２ターミナルハウジング部１２とは、第１ターミナルハウジング部１１がオス側で、メス側の第２ターミナルハウジング部１２に挿入される構成である。
【００３２】
しかして、第１ターミナルハウジング部１１の機器側オス端子１３に近い側であって、外表面部には、取付板部１５が形成されている。なお、該取付板部１５の四隅には、機器に取り付ける際に利用可能な取付孔１６が形成されている。
【００３３】
なお、本実施形態１では、第１本体部１７は、その全体が第１ターミナルハウジング部１１に内蔵されているものを示したが、内蔵されていないものであっても良い。つまり、例えば、第１ターミナルハウジング部が第１本体部の一部である端部を覆うように付設しても良い。ただ、この構成を採用する場合は、本実施形態１でいうところの取付板部にあたる部分は、第１本体部に形成した方が良い。異物混入防止手段に関しては、後述する。
【００３４】
次に、メス側コネクタ部４を説明する。
【００３５】
メス側コネクタ部４は、図５に示すように、少なくとも、三本のオス端子１９と対となる三本のメス端子２０(図５では一部を示す)と、三本のメス端子２０の端部をそれぞれ臨ませる三つのメス端子開口部２２を形成すると共に三本のメス端子２０をそれぞれの所定の収納空間（図７参照）へ収納するメス端子ボックス２１と、三本のメス端子２０及びメス端子ボックス２１が設けられる第２本体部１８（図３参照）と、三本のメス端子開口部２２を臨ませる第２ハウジング開口部（図示しない）を形成しメス端子ボックス２１を所定の収納空間に収納すると共に第２本体部１８を内蔵する第２ターミナルハウジング部１２と、から構成される。
【００３６】
また、メス端子ボックス２１は、樹脂製であり、後述する三本のメス端子２０がそれぞれ収納することができる三つの収納空間（図７参照）が形成されている。つまり、本実施形態１でいうところのメス端子ボックスとは、少なくとも複数の収納空間を形成していれば良く、より詳しくは、１つの収納空間を形成する複数の単位メス端子ボックスを、単に３つ合わせたものも、グランド用の板状部材を挟んだものも、本願発明でいうところのメス端子ボックスである。なお、各メス端子２０の端部をそれぞれ臨ませる各メス端子開口部２２に臨むように設けられているが、つまり、このように構成することにより、例えば手でメス端子２０を直接触れ難くなり、手油等の汚れがメス端子２０に付着し難くなる。
【００３７】
また、メス端子２０は、一端部には、電線６が接続されている。接続される電線６は、耐熱性及び耐油性に優れた電線であり、例えば、中心導体（銅、又はアルミ）−絶縁体（架橋ポリエチレン）−シールド−シールの構成されている。なお、メス端子２０は、特開２００７−１７９９８７（本願出願と同一出願人）で開示された技術と同じである（参照されたし）。
【００３８】
また、第２ターミナルハウジング部１２は、金属製、例えば、アルミ製で略筒状に形成されており、その内部空間は、所定の収納空間を形成している。なお、本実施形態において、所定の収納空間とは、第２本体部１８の端部側から第２ハウジング開口部（図示しない：要するに、オス側コネクタ部３と接続される側にあって第２ターミナルハウジング部１２の開口側である端部）までの内部空間を示す。
【００３９】
なお、本実施形態１では、第２本体部１８は、その全体が第２ターミナルハウジング部１２に内蔵されているものを示したが、内蔵されていないものであっても良い。つまり、第２ターミナルハウジング部が第２本体部の一部である端部を覆うように付設しても良い。また、本実施形態では、メス端子ボックス２１は第２本体部１８に貫通されているに構成されているが、第２本体部１８の側面部に付設されていても良く、どちらも、本願発明でいうところの「複数の前記メス端子及び前記メス端子ボックスが設けられる第２本体部」という意味である。
【００４０】
次に、本願発明の要部である異物混入防止手段について説明する。
【００４１】
異物混入防止手段は、図２から図５に示すように、第１ターミナルハウジング部１１の所定の収納空間であって第１ハウジング開口部２３を閉塞又は略閉塞できる板状の閉塞部材２４と、閉塞部材２４の所定の位置にオス端子１９がそれぞれ貫通する三つのオス端子開口部２５と、からなり、メス端子ボックス２１を第１ターミナルハウジング部１１の所定の収納空間へ挿入させると、該挿入に略連動するように、閉塞部材２４がオス端子開口部２５毎にオス端子１９をそれぞれ貫通させながら第１本体部１７に向けてスライド移動する一方、メス端子ボックス２１を第１ターミナルハウジング部１１の所定の収納空間から離脱させると、該離脱に略連動するように、閉塞部材が第１ハウジング開口部２３に向けてスライド移動するというのが主な作用である。
【００４２】
閉塞部材２４は、第１ターミナルハウジング部１１の第１ハウジング開口部２３を閉塞又は略閉塞しているが、図２に示すように、第１ターミナルハウジング部１１の所定の収納空間内の空気を逃がす空気逃がし開口部３７を形成するようにしても良い。なお、空気逃がし開口部３７は、本実施形態のように、第１ハウジング開口部２３の開口面積と閉塞部材２４の前面面積との差を利用して形成しても良いし、閉塞部材に切り欠きや孔等を形成しても良い。また、本実施形態に係る閉塞部材２４は、図２に示すよりも、もっと、第１ハウジング開口部２３を閉塞できる大きさで構成しても良い。
【００４３】
また、更に、本実施形態１に係る異物混入防止手段には、湾曲状態又は非湾曲状態に変化する第１ランス２６を用いて前記閉塞部材２４と前記メス端子ボックス２１とを係止する第１係止手段と、湾曲状態又は非湾曲状態に変化する第２ランス２９を用いて前記閉塞部材２４と前記オス端子１９の端部側とを係止する第２係止手段と、を含む。
【００４４】
この第１係止手段及び第２係止手段を用いることで、図３及び図４に示すように、閉塞部材２４とメス端子ボックス２１とを係止させた状態で閉塞部材２４を第１本体部１７に向けてスライド移動させることができる。
【００４５】
図５は、異物混入防止手段の一部を説明するための部分拡大図であって、第１係止手段及び第２係止手段の部分拡大図でもある。
【００４６】
第１係止手段は、メス端子ボックス２１のメス端子開口部２２の上方であって閉塞部材２４に向かって形成される第１ランス２６と、閉塞部材２４の裏面側であって第１ランス２６の第１突起部２７（下方向に垂れ下がるように略垂直であって凸状に形成される）と係合する第１係合部と、メス端子ボックス２１の両端部側に形成される規制部３３と、からなる。
【００４７】
第２係止手段は、閉塞部材２４の側端部であってメス端子ボックス２１に向かって形成される第２ランス２９と、図６に示すように、第２ランス２９の第２突起部３０（オス端子１９に向かって略水平であって凸状に形成される）と係合すると共にオス端子１９の端部側に形成されるオス端子１９の一部である第４突起部３８（上方向に伸びるように略垂直であって凸状に形成される）と、からなる。
【００４８】
次に、オス側コネクタ部３とメス側コネクタ部４との非嵌合状態からメス端子ボックス２１を第１ターミナルハウジング部１１に挿入するときの具体的な作用（図３→図４）を以下に説明する。
【００４９】
図５の楕円破線部Ａに関して、図９に示す通りである。具体的には、（ａ）→（ｂ）→（ｃ）の流れで、第１ランス２６が湾曲し、丁度、第１係合部３９を乗り換える格好となり、最終的には、第１ランス２６の第１突起部２７が第１係合部３９に係合することになる（（ｃ）の状態のこと）。なお、第１突起部２７の端部に形成される傾斜面は、第１ランス２６を閉塞部材２４に当接したときに、湾曲し易いように形成されている。
【００５０】
次に、図５の楕円破線部Ａに関して、図９のような動きをしているときの図５の楕円破線部Ｂに関して、まず、図６に示すように、第２ランス２９の第２突起部３０とオス端子１９の一部である第４突起部３８とは係合しているが、そこに、メス端子ボックス２１側である規制部３３が第２サブ突起部３１を介して第２ランス２９とオス端子１９との間に挿入されると、図７（ａ）に示すようになり、第２突起部３０がオス端子１９の端部から外れ、丁度、第２突起部３０が第４突起部３８の側面に当接する。なお、第２サブ突起部３１は、図７（ｂ）に示すように、第２ランス２９の裏面側に形成され、第２ランス２９が外側に湾曲するように略三角形状を為している。また、第２サブ突起部３１と係止する規制部３３の方も、略三角形状になっている。
【００５１】
図７（ａ）の状態から更に第１本体部１７に向けて閉塞部材２４をスライド移動をさせると、第２突起部３０は、第２ランス２９を湾曲させたまま（湾曲状態）、第４突起部３８の側面を沿って（側面の当接しながら）スライド移動し、そのうち、第４突起部３８から第２突起部３０が外れ、第２ランス２９は非湾曲状態になる。その後は、第２突起部３０は、オス端子１９の上面をスライド移動することになる。しかして、第２ランス２９が湾曲し、第４突起部３８の側面に第２突起部３０が押圧している状態において、第２ランス２９の湾曲状態からの復元力により、閉塞部材２４を第１本体部１７に向けて自力でスライド移動させ、図８に示すような状態になる。これを第２係止手段の自力復元機能（自力復元手段）という。
【００５２】
図８に示すような状態になると、第１ランス２６の方は、上述したが図９（ｃ）に示す状態となっている。この状態において、閉塞部材２４の第１本体部１７に向けてのスライド移動は、第１突起部２７によって規制し、一方、反対方向であるメス端子ボックス２１に向けては、規制部３３によって規制しており、閉塞部材２４は、第１ランス２６の第１突起部２７と規制部３３に略挟持されるようになり、その結果、閉塞部材２４とメス端子ボックス２１は互いに係止されている状態となる。
【００５３】
この様に、規制部３３には、閉塞部材２４とメス端子ボックス２１とを係止する第１係止手段としての一面と、第２係止手段による閉塞部材２４とオス端子１９の端部側との係止を解除する係止解除手段としての一面の両面を持っている。
【００５４】
一方、オス側コネクタ部３とメス側コネクタ部４との嵌合状態からメス端子ボックス２１を第１ターミナルハウジング部１１から抜き出すとき（離脱するとき）の具体的な作用（図３←図４）を以下に説明する。
【００５５】
図５の楕円破線部Ａに関して、図１０に示す通りである。具体的には、（ａ）→（ｂ）→（ｃ）の流れで、オス端子１９の端部に形成された第５突起部４１（図５参照）と当接することで、第１ランス２６が湾曲し、丁度、第１係合部３９を乗り越える格好となり、最終的には、閉塞部材２４から抜き出されることになる。なお、第１突起部２７の近傍に設けられた第１サブ突起部２８は、第５突起部４１に当接したときに、湾曲し易いように略三角形状に形成されている。
【００５６】
次に、図５の楕円破線部Ａに関して、図１０のような動きをしているときの図５の楕円破線部Ｂに関して、第１ランス２６の抜き出し動作に連動して、第２ランス２９も抜き出し方向にスライド移動し、第２突起部３０に端部に形成される傾斜面を利用して、第４突起部３８を乗り越え、図６に示す状態に戻る。
【００５７】
次に、抜け防止手段に関して、図５では楕円破線部Ｃであるが、図１１に示すように、閉塞部材２４がオス端子１９の端部から抜けないようにするためのもので、閉塞部材２４の裏面であって第１本体部１７に向けて形成された第３ランス３４と、第３ランス３４の端部側に形成され、オス端子１９に向けて立設した第３突起部３５と、オス端子１９の端部側に形成され、第３突起部３５と係止する第２係合部３６と、からなり、閉塞部材２４をオス端子１９から抜こうとすると、第３突起部３５が第２係合部３６に引っ掛かり抜けないようになっている。
【００５８】
なお、オス端子１９に形成される第２係合部３６、第４突起部３８、第５突起部４１は、本実施形態１では、オス端子１９を加工して形成したが、それ以外の態様でも良い。例えば、第５突起部４１を別部材で作成し、オス端子１９の端部側の所定箇所に付設することで形成しても良い。
【００５９】
また、オス端子１９の最端部は、図６及び図１１に示すように、閉塞部材２４のオス端子開口部２５より内側に位置している。
【００６０】
また、本実施形態１では、閉塞部材２４、第１ランス２６、第１突起部２７、第１サブ突起部２８、第２ランス２９、第２突起部３０、第２サブ突起部３１、規制部３３、第３ランス３４、第３突起部３５、第１係合部３９は、全て樹脂製であるが、それ以外の材質で構成しても良い。
【００６１】
［実施形態２］
以下に、本実施形態２に係るコネクタについて、図１２から図１５に示すとおりである。なお、図１２から図１５に関して、本実施形態１と対応する箇所は、同じ符号を付してある。
【００６２】
本実施形態２は基本的な機構は、本実施形態１と同じである。相違点は、以下の通り。
第１に、閉塞部材２４が図１２に示すように、各オス端子１９毎に分割されている点。この場合において、分割された閉塞部材２４は、本願発明でいうところの「閉塞部材」である。つまり、閉塞部材２４は、単数でも複数でも、全体的に捉え「閉塞部材」である。
第２に、図５の楕円破線部Ａ、Ｂ、Ｃに係る機構が、１つのオス端子１９で完成している点。つまり、図５の楕円破線部Ａに対応する機構は、図１５の楕円破線部Ｄ、図５の楕円破線部Ｂに対応する機構は、図１５の楕円破線部Ｆ、図５の楕円破線部Ｃに対応する機構は、図１５の楕円破線部Ｅである。但し、図１５の楕円破線部Ｆに係る機構は、１つのオス端子１９の両端側に形成されている。
【００６３】
また、本実施形態の異物混入防止手段は、端子自体の露出度が高いオス端子が設けられるオス側コネクタ部３に設けることで、オス端子自体を手（指）で直接触れ難くし、手油等の汚れがオス端子に付着し難くするといった「オス端子接触防止手段」といった要素も併せ持つ。
【００６４】
［実施形態の効果］
以上に説明した通り、本実施形態においては、
「少なくとも、複数のオス端子１９と、該複数のオス端子１９が設けられる第１本体部１７と、複数の前記オス端子１９の端部を臨ませる第１ハウジング開口部２３を形成し複数の前記オス端子１９を所定の収納空間に収納する第１ターミナルハウジング部１１と、からなる機器側であるオス側コネクタ部３と、
少なくとも、複数のメス端子２０と、該複数のメス端子２０の端部をそれぞれ臨ませる複数のメス端子開口部２２を形成すると共に複数の前記メス端子２０をそれぞれの所定の収納空間へ収納するメス端子ボックス２１と、前記メス端子２０及び前記メス端子ボックス２１が設けられる第２本体部１８と、複数の前記メス端子開口部２２を臨ませる第２ハウジング開口部を形成し前記メス端子ボックス２１を所定の収納空間に収納する共に第２本体部１８を内蔵する第２ターミナルハウジング部１２と、からなる電線側であるメス側コネクタ部４と、
からなり、前記オス側コネクタ部３と前記メス側コネクタ部４とを嵌合させると、又は前記第１ターミナルハウジング部１１と前記第２ターミナルハウジング部１２とを嵌合させると、複数の前記オス端子１９と複数の前記メス端子２０とが電気的にそれぞれ接続されるコネクタ２において、
前記第１ターミナルハウジング部１１の前記所定の収納空間への異物の混入を防止する異物混入防止手段と、
を設け、
該異物混入防止手段は、
前記第１ターミナルハウジング部１１の前記所定の収納空間内であって前記第１ハウジング開口部２３を閉塞又は略閉塞する板状の閉塞部材２４と、
前記閉塞部材２４の所定の位置に前記オス端子１９がそれぞれ貫通する複数のオス端子開口部２５と、
少なくとも、湾曲状態又は非湾曲状態に変化する第１ランス２６を用いて前記閉塞部材２４と前記メス端子ボックス２１とを係止する第１係止手段と、
少なくとも、湾曲状態又は非湾曲状態に変化する第２ランス２９を用いて前記閉塞部材２４と前記オス端子１９の端部側とを係止する第２係止手段と、
を含み、
前記第１係止手段により前記閉塞部材２４と前記メス端子ボックス２１とが係止すると、前記第２係止手段による前記閉塞部材２４と前記オス端子１９の端部側との係止は解除され、前記閉塞部材２４が前記オス端子１９に沿って前記オス端子開口部２５に前記オス端子１９がそれぞれ貫通させた状態でスライド移動することができると共に、前記オス端子開口部２５に前記オス端子１９がそれぞれ貫通させた状態で当該スライド移動が停止したときには、前記第１ランス２６及び前記第２ランス２９は、共に非湾曲状態であること、
を特徴とするコネクタ２」である。
【００６５】
このように構成することにより、異物混入防止手段（閉塞部材）を第１ターミナルハウジング部１１の所定の収納空間に収納させているため、コンパクトである。つまり、異物混入防止手段を設けたとしても、コネクタ２の小型化に寄与することが可能なコネクタのコンパクト化を図ることができる。
また、異物混入防止手段において、まるで複数のオス端子１９が誘導レールの役割を為すため、安定的にスライド移動を行うことができる。
また、第１ターミナルハウジング部１１と第２ターミナルハウジング部１２との嵌合という構成により、複数のオス端子１９と複数のメス端子２０との電気的接続において、より確実で、且つ安定的に接続される。
【００６６】
また、異物混入防止手段を設けることで、例えば手でオス端子１９を直接触れ難くなり、手油等の汚れがオス端子１９に付着し難くなる。
また、オス側コネクタ部３は機器側であるが、この様に機器側のコネクタに異物混入防止手段という対策を施したという点において、非常に有効であり、技術的価値は大きいということは言うまでもない。
また、オス端子開口部２５にオス端子１９がそれぞれ貫通させた状態でスライド移動が停止したときには、第１ランス２６及び第２ランス２９は、共に非湾曲状態であるので、例えばオス端子１９が発熱し、第１ターミナルハウジング部の所定の収納空間内の温度がたとえ上がっていても、第１ランス２６及び第２ランス２９が湾曲したまま変形固定してしまうという問題は発生しない。つまり、従来技術では、第１ランス又は第２ランスのどちらか一方若しくは両方が、オス端子開口部にオス端子がそれぞれ貫通させた状態でスライド移動が停止したときには、湾曲状態であったために、変形してしまう可能性があったが、本願発明にはそれが無い。
【００６７】
また、本実施形態においては、
「前記第１係止手段の前記第１ランス２６は、前記メス端子ボックス２１側に形成されると共に、その端部側に第１突起部２７が形成され、
更に、前記第１係止手段は、
前記閉塞部材２４側に形成されると共に、前記第１突起部２７と係合する第１係合部３９と、
前記メス端子ボックス２１側に形成される共に、前記第１突起部２７と前記第１係合部３９との係合状態が解除しないように規制する規制部３３と、
を含み、
前記第１突起部２７は、前記閉塞部材２４と向き合う側には、前記閉塞部材２４に押し当てると、前記第１ランス２６を湾曲状態させる傾斜面４０を形成すること、
を特徴とするコネクタ２」である。
【００６８】
このように構成することにより、傾斜面４０を形成することで、スムーズに閉塞部材２４側に形成される第１係合部３９と係合させることができる。
【００６９】
また、本実施形態においては、
「前記規制部３３は、前記第２係止手段による前記閉塞部材２４と前記オス端子１９の端部側との係止を解除する係止解除手段でもあること、
を特徴するコネクタ２」である。
【００７０】
このように構成することにより、つまり、第１係止手段の一部である規制部３３を用いているので、別個に係止解除手段を設ける必要が無い。
【００７１】
また、本実施形態においては、
「前記閉塞部材２４が前記オス端子１９の端部から抜けないようにするための抜け防止手段と、
を設けたこと、
を特徴するコネクタ２」である。
【００７２】
このように構成することにより、メス端子ボックス２１を第１ターミナルハウジング部１１の所定の収納空間から離脱させる際、閉塞部材２４がオス端子１９から外れ、毎回、オス端子１９に取り付けるという作業が無くなり、有効である。
【００７３】
また、本実施形態においては、
「前記抜け防止手段は、
前記閉塞部材の裏面であって前記第１本体部に向けて形成された第３ランスと、
前記第３ランスの端部側に形成され、前記オス端子に向けて立設した第３突起部と、
前記オス端子の端部側に形成され、前記第３突起部と係合する第２係合部と、
を特徴するコネクタ２」である。
【００７４】
このように構成することにより、メス端子ボックス２１を第１ターミナルハウジング部１１の所定の収納空間から離脱させる際、閉塞部材２４がオス端子１９から外れ、毎回、オス端子１９に取り付けるという作業が無くなり、有効である。
【００７５】
また、本実施形態においては、
「前記閉塞部材２４をスライド移動させる前であって、前記閉塞部材２４が前記オス端子１９の端部に位置しているときは、前記オス端子１９の最端部は、前記閉塞部材２４の前記オス端子開口部２５より内側に位置していること、
を特徴するコネクタ２」である。
【００７６】
このように構成することにより、オス端子開口部２５から、例えば手でオス端子１９を直接触れ難くなり、手油等の汚れがオス端子１９に付着し難くなる。
【００７７】
また、本実施形態においては、
「前記閉塞部材２４によって前記第１ハウジング開口部２３を閉塞又は略閉塞している状態において、前記第１ターミナルハウジング部１１の前記所定の収納空間内の空気を逃がす空気逃がし開口部３７を形成すること、
を特徴するコネクタ２」である。
【００７８】
このように構成することにより、たとえ、第１ターミナルハウジング部１１の所定の収納空間内に熱がこもっても、熱を逃がすことができる。なお、その際、空気逃がし開口部３７は、上方に位置されるように形成するのが望ましい。
【００７９】
［実施形態の変形例］
上記実施形態では、所謂、「三極型コネクタ」であるが、所謂、「単極型コネクタ」に対しても適用することができる。即ち、
「少なくとも、オス端子と、該オス端子が設けられる第１本体部と、前記オス端子の端部を臨ませる第１ハウジング開口部を形成し前記オス端子を所定の収納空間に収納する第１ターミナルハウジング部と、からなるオス側コネクタ部と、
少なくとも、メス端子と、該メス端子の端部を臨ませるメス端子開口部を形成すると共に前記メス端子を所定の収納空間へ収納するメス端子ボックスと、前記メス端子及び前記メス端子ボックスが設けられる第２本体部と、前記メス端子開口部を臨ませる第２ハウジング開口部を形成し前記メス端子ボックスを所定の収納空間に収納する共に第２本体部１８を内蔵する第２ターミナルハウジング部と、からなるメス側コネクタ部と、
からなり、前記オス側コネクタ部と前記メス側コネクタ部とを嵌合させると、又は前記第１ターミナルハウジング部と前記第２ターミナルハウジング部とを嵌合させると、前記オス端子と前記メス端子とが電気的にそれぞれ接続されるコネクタにおいて、
前記第１ターミナルハウジング部の前記所定の収納空間への異物の混入を防止する異物混入防止手段と、
を設け、
該異物混入防止手段は、
前記第１ターミナルハウジング部の前記所定の収納空間内であって前記第１ハウジング開口部を閉塞又は略閉塞する板状の閉塞部材と、
前記閉塞部材の所定の位置に前記オス端子が貫通するオス端子開口部と、
少なくとも、湾曲状態又は非湾曲状態に変化する第１ランスを用いて前記閉塞部材と前記メス端子ボックスとを係止する第１係止手段と、
少なくとも、湾曲状態又は非湾曲状態に変化する第２ランスを用いて前記閉塞部材と前記オス端子の端部側とを係止する第２係止手段と、
を含み、
前記第１係止手段により前記閉塞部材と前記メス端子ボックスとが係止すると、前記第２係止手段による前記閉塞部材と前記オス端子の端部側との係止は解除され、前記閉塞部材が前記オス端子に沿って前記オス端子開口部に前記オス端子が貫通させた状態でスライド移動することができると共に、前記オス端子開口部に前記オス端子が貫通させた状態で当該スライド移動が停止したときには、前記第１ランス及び前記第２ランスは、共に非湾曲状態であること、
を特徴とするコネクタ」であっても良い。
【図面の簡単な説明】
【００８０】
【図１】本発明の実施形態１に係るコネクタ２を備えるワイヤハーネス１の全体斜視図
【図２】本発明の実施形態１に係るコネクタ２におけるオス側コネクタ部３において、第１ハウジング開口部２３から見た正面図
【図３】本発明の実施形態１に係るコネクタ２に異物混入防止手段の全体的な動きを説明する全体説明図
【図４】本発明の実施形態１に係るコネクタ２に異物混入防止手段の全体的な動きを説明する全体説明図
【図５】本発明の実施形態１に係るコネクタ２に異物混入防止手段の一部を説明するための部分拡大図
【図６】図５において、破線で示す直線Ｂを含む水平断面の一部である平面断面図
【図７】（ａ）図５において、破線で示す直線Ｂを含む水平断面の一部である平面断面図、（ｂ）（ａ）の図面の背面図
【図８】図５において、破線で示す楕円部Ｂを説明するための側面断面図
【図９】図５において、破線で示す楕円部Ａを説明するための側面断面図
【図１０】図５において、破線で示す楕円部Ａを説明するための側面断面図
【図１１】図５において、破線で示す楕円部Ｃを説明するための側面断面図
【図１２】本発明の実施形態２に係るコネクタ２に異物混入防止手段の全体的な動きを説明する全体説明図
【図１３】本発明の実施形態２に係るコネクタ２に異物混入防止手段の全体的な動きを説明する全体説明図
【図１４】本発明の実施形態２に係るコネクタ２におけるオス側コネクタ部３において、第１ハウジング開口部２３から見た正面図
【図１５】本発明の実施形態１に係るコネクタ２に異物混入防止手段の一部を説明するための部分拡大図
【符号の説明】
【００８１】
１  ・・・  ワイヤハーネス
２  ・・・  コネクタ
３  ・・・  オス側コネクタ部
４  ・・・  メス側コネクタ部
５  ・・・  回動レバー
６  ・・・  電線
７  ・・・  回動軸
８  ・・・  スライド軸
９  ・・・  スライド湾曲孔
１１・・・  第１ターミナルハウジング部
１２・・・  第２ターミナルハウジング部
１３・・・  機器側オス端子
１４・・・  機器接続孔
１５・・・  取付板部
１６・・・  取付孔
１７・・・  第１本体部
１８・・・  第２本体部
１９・・・  オス端子
２０・・・  メス端子
２１・・・  メス端子ボックス
２２・・・  メス端子開口部
２３・・・  第１ハウジング開口部
２４・・・  閉塞部材
２５・・・  オス端子開口部
２６・・・  第１ランス
２７・・・  第１突起部
２８・・・  第１サブ突起部
２９・・・  第２ランス
３０・・・  第２突起部
３１・・・  第２サブ突起部
３２・・・  ロック部
３３・・・  規制部
３４・・・  第３ランス
３５・・・  第３突起部
３６・・・  第２係合部
３７・・・  空気逃がし開口部
３８・・・  第４突起部
３９・・・  第１係合部
４０・・・  傾斜面
４１・・・  第５突起部
【図１】
2009301857.tif 000003
【図２】
2009301857.tif 000004
【図３】
2009301857.tif 000005
【図４】
2009301857.tif 000006
【図５】
2009301857.tif 000007
【図６】
2009301857.tif 000008
【図７】
2009301857.tif 000009
【図８】
2009301857.tif 000010
【図９】
2009301857.tif 000011
【図１０】
2009301857.tif 000012
【図１１】
2009301857.tif 000013
【図１２】
2009301857.tif 000014
【図１３】
2009301857.tif 000015
【図１４】
2009301857.tif 000016
【図１５】
2009301857.tif 000017